(57)【要約】【課題】従来のジャックを利用することができ、コストを安く抑えたコネクタセキュリティ装置を提供する。【解決手段】係止片２２を備えて通信用信号を中継する通信コネクタ用のジャック２０と、ジャック２０に差し込む際に係止片２２と係止してロック可能な被係止部３５を備えて空いたジャック２０に差し込むセキュリティ用のカバー３０とを有し、ジャック２０にカバー３０を差し込んでロックを行う構成とした。カバー３０を空いたジャック２０に差し込むだけで、係止片２２が被係止部３５に係止してロックを行う。ロック後は、プラグが差し込まれて不正なアクセスが行われることはない。ジャック２０に備える係止片２２は、内側に設けるのが望ましく、プラグのロックと兼用するのが望ましい。よって、従来のジャック２０を利用することができる。また、扉や施錠手段は必要無いので、コストを安く抑えられる。【選択図】図１
2010027379.tif 000002
【特許請求の範囲】
【請求項１】
係止片を備え、通信用信号を中継する通信コネクタ用のジャックと、
前記ジャックに差し込む際に前記係止片と係止してロック可能な被係止部を備え、空いたジャックに差し込むセキュリティ用のカバーとを有し、
前記ジャックに前記カバーを差し込んでロックを行う構成としたコネクタセキュリティ装置。
【請求項２】
請求項１に記載したコネクタセキュリティ装置であって、
突起部を備え、操作に伴って当該突起部が係止片を被係止部から外してロック解除が可能な解除部材を有し、
ロック後に前記解除部材を操作してロック解除を行う構成としたコネクタセキュリティ装置。
【請求項３】
請求項１または２に記載したコネクタセキュリティ装置であって、
カバーは、解除部材を差し込むための通路と、前記解除部材を差し込んだ差込位置からロック解除を行う解除位置まで突起部を回転または移動させる空間となる開口部と、解除位置にあって前記突起部が引っ掛かる引掛部とを有し、
ロック後に前記解除部材を操作してロック解除を行い、前記解除部材を引き抜くと前記カバーもジャックから引き抜かれる構成としたコネクタセキュリティ装置。
【発明の詳細な説明】
【技術分野】
【０００１】
本発明は、通信用信号を中継する通信コネクタにかかるコネクタセキュリティ装置に関する。
【背景技術】
【０００２】
従来では、通信コネクタの空いたジャックにプラグが差し込まれて行われる不正なアクセスを防止するため、ジャックに開閉可能な扉を設け、プラグが差し込まれていないときは扉を開けることができないように施錠する技術の一例が開示されている（例えば特許文献１を参照）。
【特許文献１】特開２００６−２１０１０７号公報
【発明の開示】
【発明が解決しようとする課題】
【０００３】
しかし、特許文献１の技術によれば、ジャックに開閉可能な扉を設けるだけでなく、当該扉を開けられないように施錠手段を設ける必要があるので、コスト高となる。また、従来のジャックは扉や施錠手段が無いのでそのまま利用することができず、有効利用が図れない。
【０００４】
本発明はこのような点に鑑みてなしたものであり、従来のジャックを利用することができ、コストを安く抑えたコネクタセキュリティ装置を提供することを目的とする。
【課題を解決するための手段】
【０００５】
（１）課題を解決するための手段（以下では単に「解決手段」と呼ぶ。）１は、係止片を備え、通信用信号（例えば光信号や電気信号等）を中継する通信コネクタ用のジャックと、前記ジャックに差し込む際に前記係止片と係止してロック可能な被係止部を備え、空いたジャックに差し込むセキュリティ用のカバーとを有し、前記ジャックに前記カバーを差し込んでロックを行う構成としたことを要旨とする。
【０００６】
解決手段１によれば、カバーを空いたジャックに差し込むだけで、係止片が被係止部に係止してロックを行う。ロック後は、プラグが差し込まれて不正なアクセスが行われることはない。ジャックに備える係止片は、内側に設けるのが望ましく、プラグのロックと兼用するのが望ましい。よって、従来のジャックを利用することができる。また、扉や施錠手段は必要無いので、コストを安く抑えられる。さらに、ロック時はジャックがカバーで塞がれるので、ホコリ等の侵入を阻止して汚くなるのを防止できる。
【０００７】
（２）解決手段２は、解決手段１に記載したコネクタセキュリティ装置であって、突起部を備え、操作に伴って当該突起部が係止片を被係止部から外してロック解除が可能な解除部材を有し、ロック後に前記解除部材を操作してロック解除を行う構成としたことを要旨とする。
【０００８】
解決手段２によれば、カバーをジャックに差し込んでロックした後、解除部材を操作すると突起部が係止片を被係止部から外してロック解除が行われる。よって、簡単な操作を行うだけでロックを解除できる。
【０００９】
（３）解決手段３は、解決手段１または２に記載したコネクタセキュリティ装置であって、カバーは、解除部材を差し込むための通路と、前記解除部材を差し込んだ差込位置からロック解除を行う解除位置まで突起部を回転または移動させる空間となる開口部と、解除位置にある前記突起部が引っ掛かる引掛部３４とを有し、ロック後に前記解除部材を操作してロック解除を行い、前記解除部材を引き抜くと前記カバーもジャックから引き抜かれる構成としたことを要旨とする。
【００１０】
解決手段３によれば、解除部材を通路に差し込んだ後、開口部の差込位置から解除位置まで突起部を回転または移動させるだけで、突起部が引掛部３４に引っ掛かる。これにより、解除部材を引き抜くとカバーもジャックから引き抜かれる。よって、簡単な操作を行って引き抜くだけで、解除部材とカバーを同時にジャックから引き抜くことができる。
【発明の効果】
【００１１】
本発明によれば、不正なアクセスを防止できるだけでなく、従来のジャックの有効利用を図ることができ、コストも安く抑えることができる。
【発明を実施するための最良の形態】
【００１２】
本発明を実施するための最良の形態について、図面を参照しながら説明する。
【００１３】
まず図１には、光通信ケーブルを中継するコネクタセキュリティ装置の構成例を斜視図で表す。コネクタセキュリティ装置１０は、ジャック２０，カバー３０，解除部材４０などを有する。
ジャック２０は、光信号を中継する通信コネクタであって、受け部２１や係止片２２などを有する。またジャック２０は、退避部２３や中継部２４などを有する（図３を参照）。受け部２１はカバー３０やプラグ等を収容可能な部位であって、本例では四角筒状に形成している。係止片２２は受け部２１内に備えられ、カバー３０やプラグ等に備えられた被係止部との間で行うロックに用いる。なお図１では右側の係止片２２のみが見えるが、左右二箇所に備えられる。図３に表す退避部２３は、ロックやその解除の際に係止片２２が撓んで退避する部位である。図３に表す中継部２４は、両側の受け部２１に差し込まれる通信用のプラグ相互間で光信号を中継する。
【００１４】
セキュリティ用のカバー３０は、空いたジャック２０に差し込んで、通信用のプラグを差し込んで不正なアクセスを防止する部材である。このカバー３０は、大別して挿入部３１と本体部３２とからなる。挿入部３１は、受け部２１に挿入する四角筒状部位（本体よりは外形が小さい）であって、カバー３０の一端側に備えられる。
【００１５】
本体部３２は、開口部３３，引掛部３４，被係止部３５，通路３７などを有する。また本体部３２は、被係止部３５から通路３７に向かって伸びるキャップ部３９を有する（図３を参照）。引掛部３４と被係止部３５は、それぞれ開口部３３の一部に形成された部位である。開口部３３は、後述する解除部材４０を差し込んだ差込位置３６からロック解除を行う解除位置まで突起部４１を回転させる空間であって、係止片２２に対応する位置のカバー３０の中央部に備えられる、なお図１では左側の開口部３３のみが見えるが、左右二箇所に備えられる。引掛部３４は「解除位置」に相当し、突起部４１が引っ掛かる部位である。被係止部３５は、ジャック２０に差し込む際に係止片２２と係止してロック可能な部位である。通路３７は、後述する解除部材４０の円筒部４２を差し込む部位であって、当該円筒部４２に備えた突起部４１を通すための溝３８を形成する。キャップ部３９は、ジャック２０の反対側に差し込んだ通信ケーブルからの光が通路３７を通じて外部に漏れて不正にアクセスされるのを防ぐ。
【００１６】
解除部材４０は、ジャック２０に差し込んだカバー３０のロックを解除して引き抜くための部材である。この解除部材４０は、円筒部４２や把持部４３などを有する。円筒部４２は把持部４３の一端側から伸びて備えられ、先端部に突起部４１（本例では２箇所）を有する。円筒部４２は通路３７に差し込んだ際に、内筒側にキャップ部３９を通すようにするため筒状に形成している（図８で表す破線を参照）。
【００１７】
上述のように構成されたコネクタセキュリティ装置１０を用いて、カバー３０のロックおよびその解除を行う操作例について図２〜図９を参照しながら説明する。図２には、ジャックにカバーを差し込んだ状態の一例を表す。図３には、図２のIII−III線断面図を表す。図４には、カバーに解除部材を差し込んだ状態の一例を表す。図５は、差込位置の状態を説明する図である。図６は、途中状態を説明する図である。図７は、解除位置の状態を説明する図である。図８は、引き抜いた後の状態を説明する図である。図９には、引き抜いた後の状態を斜視図で表す。
【００１８】
まず図１に表す矢印Ｄ１のようにして、ジャック２０に対してカバー３０を差し込むと、図２と図３に表すような状態となる。図２（Ａ）には斜視図を表し、図２（Ｂ）には側面図を表し、図２（Ｃ）には正面図を表す。当該図２に表すように、カバー３０の一部（本体部３２側）がはみ出た状態でジャック２０にロックされる。すなわち図３に表すように、ジャック２０の係止片２２とカバー３０の被係止部３５とが係止して、カバー３０を引き抜けなくなる。この状態ではジャック２０がカバー３０で塞がれるので、ホコリ等の侵入が阻止される。
【００１９】
図２（Ａ）に表した状態のジャック２０およびカバー３０に対して、カバー３０の通路３７に解除部材４０の円筒部４２を差し込むと図４と図５に表すような状態となる。ただし、溝３８と突起部４１の関係から一定の向き（もしくは角度）でカバー３０をジャック２０に差し込むことになる。図４には斜視図を表し、図５（Ａ）には一部断面を含む平面図を表し、図５（Ｂ）には図５（Ａ）のVB−VB線断面図を表す。
【００２０】
図４と図５に表すように、円筒部４２の先端面が中継部２４の端面に当たるとともに、円筒部４２の外周面が係止片２２に接触する状態で止まる。このときにおける突起部４１の位置が差込位置３６となる。そして、把持部４３を持って解除部材４０を所定方向（例えば図５（Ａ）の矢印Ｄ２方向）に少し回すと、図６に表すような状態となる。
【００２１】
図６（Ａ）には一部断面を含む平面図を表し、図６（Ｂ）には図６（Ａ）のVIB−VIB線断面図を表す。解除部材４０を回すと、突起部４１が接触する係止片２２を押し広げるように作用する。係止片２２は突起部４１に押されて退避部２３側に撓む。さらに、把持部４３を持って解除部材４０を所定方向（例えば図６（Ａ）の矢印Ｄ３方向）に止まるまで少し回すと、図７に表すような状態となる。
【００２２】
図７（Ａ）には一部断面を含む平面図を表し、図７（Ｂ）には図７（Ａ）のVIIB−VIIB線断面図を表す。解除部材４０が止まる位置は「解除位置」に相当する。この解除位置では、突起部４１が二つの係止片２２を一番押し広げた状態になる。また、突起部４１と接触する面と反対側の面にかかる各々の係止片２２は、退避部２３の壁面に接触するかそれに近いほどにまで撓む。こうして突起部４１が二つの係止片２２を被係止部３５から外してロックを解除する。そして、把持部４３を持って解除部材４０を所定方向（例えば図７（Ａ）の矢印Ｄ４方向）に引っ張ると、図８および図９に表すような状態となる。
【００２３】
図８には一部断面を含む平面図を表し、図９には斜視図を表す。これらの図から明らかなように、解除部材４０を引き抜くだけでカバー３０もジャック２０から引き抜かれる。すなわち、ロックを解除した突起部４１が引き抜き操作によって引掛部３４に引っ掛かり、解除部材４０がカバー３０も併せて引き抜ける。引き抜いた後の解除部材４０とカバー３０とは、ロック解除のために行った回転操作（図５（Ａ）の矢印Ｄ２および図６（Ａ）の矢印Ｄ３）とは逆方向に回転操作を行えば簡単に外れる。こうして再びカバー３０を用いて空いたジャック２０に差し込めば、不正なアクセスを防止するロックが行える。
【００２４】
上述した実施の形態によれば、以下に表す各効果を得ることができる。
（１）カバー３０を空いたジャック２０に差し込むだけで（図１を参照）、係止片２２が被係止部３５に係止してロックを行う構成とした（図３を参照）。ロック後は、プラグが差し込まれて不正なアクセスが行われることはない。よって、従来のジャック２０を利用することができる。また、従来技術では扉や施錠手段は必要無いので、コストを安く抑えられる。また、ジャック２０の内側に備える係止片２２は、カバー３０のロックとプラグのロックとを兼用するので、有効利用が図れ、別個に備える必要が無い点でコストを安く抑えることができる。さらに、ロック時はジャック２０がカバー３０で塞がれるので、ホコリ等の侵入を阻止し、信号伝達面等が汚くなるのを防止できる。
【００２５】
（２）カバー３０をジャック２０に差し込んでロックした後、解除部材４０を操作すると突起部４１が係止片２２を被係止部３５から外してロック解除が行われる構成とした（図５〜図７を参照）。よって、簡単な操作を行うだけでロックを解除できる。
【００２６】
（３）解除部材４０を通路３７に差し込んだ後、開口部３３の差込位置３６から解除位置まで突起部４１を回転させるだけで、突起部４１が引掛部３４に引っ掛かる構成とした（図５〜図７を参照）。これにより、解除部材４０を引き抜くとカバー３０もジャック２０から引き抜かれる（図８，図９を参照）。よって、簡単な操作を行って引き抜くだけで、解除部材４０とカバー３０を同時にジャック２０から引き抜くことができる。
【００２７】
〔他の実施の形態〕
以上では本発明を実施するための最良の形態について説明したが、本発明は当該形態に何ら限定されるものではない。言い換えれば、本発明の要旨を逸脱しない範囲内において、種々なる形態で実施することもできる。例えば、次に示す各形態を実現してもよい。
【００２８】
（１）上述した実施の形態では、ジャック２０にはカバー３０のロックとプラグのロックとを兼用する係止片２２を備える構成とした（図１等を参照）。この形態に代えて、プラグのロックとは別個にカバー３０のロックを行える係止片２２を備える構成としてもよい。この構成であっても、カバー３０を空いたジャック２０に差し込むだけで、係止片２２が被係止部３５に係止してロックが行える。ロック後は、プラグが差し込まれて不正なアクセスが行われることはない。
【００２９】
（２）上述した実施の形態では、開口部３３の差込位置３６から解除位置まで突起部４１を回転させるだけで、突起部４１が引掛部３４に引っ掛かる構成とした（図５〜図７を参照）。この形態に代えて、突起部４１（すなわち解除部材４０の全体）をスライド等して移動させるだけで、突起部４１が引掛部３４に引っ掛かる構成としてもよい。この構成であっても、突起部４１が引掛部３４に引っ掛かって、解除部材４０とカバー３０を同時にジャック２０から引き抜くことができる。
【００３０】
（３）上述した実施の形態では、ジャック２０に係止片２２を備え、カバー３０に被係止部３５を備えて、カバー３０をジャック２０に差し込む際に係止片２２と被係止部３５とが係止してロックする構成とした（図３等を参照）。この形態に代えて、ジャック２０に被係止部３５に相当する被係止部を備え、カバー３０に係止片２２に相当する係止片を備える構成としてもよい。この構成であっても、カバー３０をジャック２０に差し込む際に係止片と被係止部とが係止してロックする。したがって、上述した実施の形態と同様の作用効果を得ることができる。
【００３１】
（４）上述した実施の形態では、光通信ケーブルを中継するコネクタセキュリティ装置１０に適用した。この形態に代えて、電気通信ケーブルを中継するコネクタセキュリティ装置などのように、通信用信号を中継するコネクタセキュリティ装置（あるいは通信コネクタ）に適用することが可能である。こうしたコネクタセキュリティ装置であっても、上述した実施の形態と同様の作用効果を得ることができる。
【図面の簡単な説明】
【００３２】
【図１】コネクタセキュリティ装置の構成例を表す斜視図である。
【図２】ジャックにカバーを差し込んだ状態の一例を表す図である。
【図３】図２のIII−III線断面図である。
【図４】カバーに解除部材を差し込んだ状態の一例を表す図である。
【図５】差込位置の状態を説明する図である。
【図６】途中状態を説明する図である。
【図７】解除位置の状態を説明する図である。
【図８】引き抜いた後の状態を説明する図である。
【図９】引き抜いた後の状態を表す斜視図である。
【符号の説明】
【００３３】
１０  コネクタセキュリティ装置
２０  ジャック
２１  受け部
２２  係止片
２３  退避部
２４  中継部
３０  カバー
３１  挿入部
３２  本体部
３３  開口部
３４  引掛部（解除位置）
３５  被係止部
３６  差込位置
３７  通路
３８  溝
３９  キャップ部
４０  解除部材
４１  突起部
４２  円筒部
４３  把持部
【図１】
2010027379.tif 000003
【図２】
2010027379.tif 000004
【図３】
2010027379.tif 000005
【図４】
2010027379.tif 000006
【図５】
2010027379.tif 000007
【図６】
2010027379.tif 000008
【図７】
2010027379.tif 000009
【図８】
2010027379.tif 000010
【図９】
2010027379.tif 000011